(57)【要約】【課題】  本発明が解決しようとする課題は、消費電力が少ない発光ダイオードを使用し、明るく照度が高い投光能力の大きなランプを提供することである。【手段】本発明は、その複数個の発光ダイオード（ＬＥＤ）の光軸を平行になるように配置して、その光軸上にレンズを発光ダイオード（ＬＥＤ）からの放出光を平行光もしくは、平行光に近い拡散光に変化するように設置することを特徴とする複数個の発光ダイオード（LED）を光源としたランプ【選択図】図３
2005327479.tif 000002
【特許請求の範囲】
【請求項１】
複数個の発光ダイオード（ＬＥＤ）の光軸を同一方向に平行になるように配置して、その光軸上にレンズを発光ダイオード（ＬＥＤ）からの放射光を平行光もしくは、平行光に近い拡散光に変化するように設置することを特徴とする複数個の発光ダイオード（LED）を光源としたランプ。
【請求項２】
複数個の発光ダイオード（ＬＥＤ）の光軸を同一方向に平行になるようにしながら配列を平面状ではなく立体的に配置することを特徴とする請求項１に記載の複数個の発光ダイオード（ＬＥＤ）を光源としたランプ。
【請求項３】
複数個の発光ダイオード（ＬＥＤ）の光軸を同一方向に平行になるように配列し、本体頭頂部意外に本体内部にもレンズを設置する事（複数のレンズの使用）を特徴とする請求項１に記載の複数個の発光ダイオード（ＬＥＤ）を光源としたランプ。
【発明の詳細な説明】
【技術分野】
【０００１】
本発明は、複数個の発光ダイオード（ＬＥＤ）を光源としたランプに関する。
【背景技術】
【０００２】
一般的に使用されている照明装置にはタングステンランプ，蛍光灯や水銀灯などの電球を用途に合わせて使用している。しかし、発光による不必要な発熱があり、エネルギー的にも損失が大きい。近年発熱の少ない、輝度の高い発光ダイオードも販売されている。
【０００３】
発光ダイオードは高輝度で長時間の耐久性を持ち小型なので単体ではキーライト等に使用されている。また、発光ダイオードは個々の消費電力が少なく、例え１千個の高輝度発光ダイオードを並べても７２Ｗ程度の電力消費なので、複数の発光ダイオードからなる  懐中電灯や信号機が知られており、ドットマトリックスユニット等も販売されている。
【特許文献１】特開２００２−３５８０３３号
【特許文献２】特開２００３−１００１１０号
【特許文献３】特開２００３−２８１９０５号
【特許文献４】特開２００２−３５２６０２号
【特許文献５】特開２００２−２９９７００号
【特許文献６】特願２００３−２８８８０６号
【発明の開示】
【発明が解決しようとする課題】
【０００４】
本発明が解決しようとする課題は、従来の発光ダイオードを使用した懐中電灯は５m程度先の物体にも照射ができなかった。この消費電力が少ない発光ダイオードを使用して明るく投光能力の大きなランプを提供することである。
【課題を解決するための手段】
【０００５】
本発明の複数個の発光ダイオード（ＬＥＤ）を光源としたランプは複数個の発光ダイオード（ＬＥＤ）の光軸を同一方向に平行になるように配置して、その光軸上にレンズを発光ダイオード（ＬＥＤ）からの放射光を平行光もしくは、平行光に近い拡散光に変化するように設置することを特徴とする。
【０００６】
請求項２に記載されている本発明の複数個の発光ダイオード（ＬＥＤ）を光源としたランプは、複数個の発光ダイオード（ＬＥＤ）の光軸を同一方向に平行になるようにしながら配列を平面状ではなく立体的に配置することを特徴とする。
【０００７】
請求項３に記載されている本発明の複数個の発光ダイオード（ＬＥＤ）を光源としたランプは、複数個の発光ダイオード（ＬＥＤ）の光軸を同一方向に平行になるように配列し、本体頭頂部意外に本体内部にもレンズを設置すること（複数のレンズの使用）を特徴とする。
【発明の効果】
【０００８】
本発明は発光ダイオード（ＬＥＤ）を使用しているので乾電池でも  長時間使用でき、複数の発光ダイオード（ＬＥＤ）の放射光を拡散させずにレンズを使用し平行光線にしてより遠くまで照射できる。
【０００９】
また、請求項２に記載されている複数個の発光ダイオード（ＬＥＤ）の光軸を同一方向に平行になるようにしながら配列を平面状ではなく立体的に配置することにより、各発光ダイオード（ＬＥＤ）とレンズとの距離が変わるために、各発光ダイオード（LED）からの放射光は平行光、平行光に近い拡散光、より散光した拡散光となり、長距離から短距離まで照射可能でコヒレントになり過ぎない美しい照明効果を有する高機能なランプを提供できる。
【００１０】
また、請求項３に記載されている複数個の発光ダイオード（ＬＥＤ）の光軸を平行になるように配列し、本体頭頂部意外に本体内部にもレンズを設置する事（複数のレンズの使用）により、各発光ダイオード（ＬＥＤ）とレンズとの焦点距離が変わるために、放射光は平行光、平行光に近い拡散光となり、請求項２と同様に長距離から短距離まで照射可能でコヒレントになり過ぎない美しい照明効果を有する高機能なランプを提供できる。
【発明を実施するための最良の形態】
【００１１】
本発明は複数個の発光ダイオード（ＬＥＤ）の光軸を同一方向に平行になるように配置して、その光軸上にレンズを発光ダイオード（ＬＥＤ）からの放射光を平行光もしくは、平行光に近い拡散光に変化するように設置する。
【００１２】
また、請求項２に記載されている複数個の発光ダイオード（ＬＥＤ）の光軸を同一方向に平行になるようにしながら配列を平面状ではなく立体的に配置することにより、各発光ダイオード（ＬＥＤ）とレンズとの距離が変わるために、各発光ダイオード（LED）からの放出光は平行光、平行光に近い拡散光、より散光した拡散光となり、各発光ダイオード（ＬＥＤ）の放出光は重複するため、コヒレントになり過ぎない美しい照明効果を有し長距離から短距離まで照射可能で高機能なランプを提供できる。
【００１３】
また、請求項３に記載されている複数個の発光ダイオード（ＬＥＤ）の光軸を平行になるように配列し、本体頭頂部意外に本体内部にもレンズを設置する事（複数のレンズの使用）により、各発光ダイオード（ＬＥＤ）とレンズとの焦点距離が変わるために、放射光は平行光、平行光に近い拡散光となり、請求項２と同様に長距離から短距離まで照射可能でコヒレントになり過ぎない美しい照明効果を有する高機能なランプを提供できる。
【実施例】
【００１４】
以下、本発明の実施例について図面を用いて説明する。
図１に示す本発明の試作機においては、請求項１に記載されているように本体１に取り付けられた複数個の発光ダイオード（ＬＥＤ）３の光軸４が同一方向に平行に配置し、    頭頂部分にレンズ２を設置する。
【００１５】
図２は、図１の複数個の発光ダイオード（ＬＥＤ）３の光軸４を同一方向に平行になるようにしながら配列を平面状ではなく立体的に配置した一例の図であり、請求項１に記載されているように本体１に取り付けられた複数個の発光ダイオード（ＬＥＤ）３の光軸４が同一方向に平行に配置し、頭頂部分にレンズ２を設置する。
【００１６】
図３は、図２の複数個の発光ダイオード（ＬＥＤ）３を立体的に配置した別の一例の図であり、請求項１に記載されているように本体１に取り付けられた複数個の発光ダイオード（ＬＥＤ）３の光軸４が同一方向に平行に配置し、頭頂部分にレンズ２を設置する。
【００１７】
図４は、図３のレンズ２による放射光５の照射状態を示した図である。放射光５はレンズ２により、平行光６となり、平行光照射面積１０を照射する。平行光に近い拡散光７は平行光に近い拡散光照射面積１１を照射する。より散光した拡散光８は、より散光した拡散光照射面積１２を照射する。互いに重複するため、コヒレントにならない美しい照明効果を得られる。
【００１８】
図５に示すように請求項３記載の本発明は、複数個の発光ダイオード（ＬＥＤ）３の光軸４を同一方向に平行になるように設置し、本体頭頂部のレンズ２意外に本体内部にレンズ２aを設置すると互いに干渉し重複するため、コヒレントになり過ぎない照明効果を得られる。
【００１９】
本発明は発明者自身が２００３年に特許申請した、特願２００３−３９４８６３の改良を行なってきた結果発案した発明である。２００３年の特許申請時には発光ダイオード（ＬＥＤ）を５４個使用した直径４５ｃｍの大型のランプでも９０ｍ程度の照射能力しかなかった  特願２００３−３９４８６３も発光ダイオード（ＬＥＤ）３６個で２８０ｍ以上先までの照射能力を持つようになり反射鏡確認は４００ｍを超えたが、大型のため取り回しに多少の不便さを感じ、更に改良を重ねた。その結果、発光ダイオード（ＬＥＤ）６０個を配置した僅か５Ｗにも満たない一般家庭用電源使用可能な直径９ｃｍで２００ｍ以上の投光能力を有するランプを開発した。また、ランプの近距離放射においても複数の放射光が重複するためにコヒレントにならない素晴らしい照明効果が得られた。
【産業上の利用可能性】
【００２０】
本発明の複数個の発光ダイオード（LED）を光源としたランプは、消費電力が極めて微弱なので一般電球，懐中電灯，車両用ヘッドライト，探照灯，船舶用通信灯や室内外用照明灯など多方面に利用が出来る。また、無電力地域でも小型ソーラーパネル等に接続するだけで安易に使用可能となる。
【図面の簡単な説明】
【００２１】
【図１】本発明の側面図である。
【図２】LED設置部分が立体構成された本発明の側面図である。
【図３】LED設置部分がより立体構成された本発明の側面図である。
【図４】図３の光線の変化と照射面積の相違を示した説明図である。
【図５】本発明の内部にもレンズを組み込んだ多重レンズ構造の側面図である。
【符号の説明】
【００２２】
１    本体
２    レンズ
２a   レンズ
３    発光ダイオード（ＬＥＤ）
４    光軸
５    放射光
６    平行光
７    平行光に近い拡散光
８    拡散光
９    口金
１０  平行光照射面積
１１  平行光に近い拡散光照射面積
１２  拡散光照射面積
【図１】
2005327479.tif 000003
【図２】
2005327479.tif 000004
【図３】
2005327479.tif 000005
【図４】
2005327479.tif 000006
【図５】
2005327479.tif 000007